(57)【要約】      （修正有）【課題】洋式トイレ便座横の介助手すりに取り付けて、排便時の力み補助と共に便座前方への落下防止を行い、あわせてトイレ使用者の身体状況を監視する排便介助・監視装置を提供する。【解決手段】トイレ便座１の側面に設置されている介助手すりに取り付けて、使用者の前方任意の位置に介助アームＡ−４を固定でき、アームにつかまることにより排便姿勢を保つと共に下腹部に力を入れる助けにし、かつ便座前方への落下防止の役目を果たし、介助アームに血圧計測等のセンサを取り付けることによりトイレ使用者の身体状況を監視する。【選択図】図１
2015202340.tif 000002
【特許請求の範囲】
【請求項１】
洋式便座を用いるトイレの排便介助装置において、トイレ床面に設置可能であり、便座に座った使用者の前方略水平に展開可能な介助アーム機構を有することを特徴とする排便介助・監視装置。
【請求項２】
前記介助アーム機構には使用者の身体状況を測定するセンサが設けられていることを特徴とする請求項１記載の排便介助・監視装置。
【請求項３】
前記介助アーム機構に、床面に対する支持支柱を組み込んだことを特徴とする請求項１又は２に記載の排便介助・監視装置。
【請求項４】
センサを更に備え、前記センサは血圧測定、脈拍測定、体温測定、気温測定、個人識別のうち少なくとも１つの機能を有することを特徴とする請求項１記載の排便介助・監視装置。
【請求項５】
前記センサからの測定情報及び／もしくは関連情報を表示することができる表示部を更に有することを特徴とする請求項４に記載の排便介助・監視装置。
【請求項６】
個人識別情報に基づき、前記センサから測定された情報を個人ごとに記憶する記憶部を更に備えることを特徴とする請求項４又は５に記載の排便介助・監視装置。
【請求項７】
前記センサからの情報を所定の基準値と比較しあるいは個人の情報履歴から判断して警告表示する警告表示部を更に有することを特徴とする請求項４乃至６のうちいずれか１項に記載の排便介助・監視装置。
【発明の詳細な説明】
【技術分野】
【０００１】
本発明は、高齢者等に多い便秘時に、洋式便座（以後、「便座」と省略する。）を用いるトイレ（以後、単純に「トイレ」と省略する。）に設置する便秘時排便介助を行うと共に使用者の身体状況を監視する装置に関するものである。
【背景技術】
【０００２】
現在、足腰の不自由な方や高齢者のために、介護施設のトイレはもちろん、一般の公衆トイレにも「誰でもトイレ」と称するトイレが設置され、車椅子でも入出できるよう広いスペースが設けられ、着座や立ち上がりの援助のために便座横の壁面に介助手すりが付けられている。
【０００３】
上記のように便座への着座、立ち上がりのための介助装置は色々考えられているが、排便を促進するための介助装置はほとんど見られない。特に、運動機会が少ない高齢者等は便秘症になることが多く、便秘症解消のための排便介助をするための装置が求められている。
【０００４】
便秘時は下腹に力を入れるため、前かがみの姿勢になることが多く、勢いあまって便座から前方に転がり落ちる事故が起きている。上述のように、前かがみの姿勢によって便座から転落しないような介助装置、さらには下腹に力を入れるために掴まったり、下腹部を押さえるような、便秘症解消のための排便介助装置は現在実現されていない。
【０００５】
一方、便秘時には下腹に力を入れて力むため、血圧が急に上昇したり脈拍が高くなったりすることにより各種の身体障害を引き起こすことがあり、特に排便時の身体状況を監視することが極めて重要である。
【０００６】
更に、排便時の身体状況を監視して本人に知らせ、力みを弱めるよう注意喚起することも重要であるが、血圧の急激な上昇のため意識を失うといったような緊急事態が発生した場合等に、トイレ外部の介助機関や介助人等に状況情報を知らせる機能を有することも必要である。
【０００７】
上記のようなトイレ外部への情報伝達機能を有する排便介助装置を複数人が使用するトイレに設置する場合においては、現在トイレを使用している使用者が誰なのかを識別認識することも必要となる。
【０００８】
特許文献１は、トイレの便座への着座、立ち上がりを介助するために、便座左右につかまり用の手すりを設置するものであるが、便座前方への落下防止や下腹に力を入れる援助にはほとんど役立たない。
【０００９】
特許文献２は、トイレ内に置く移動可能な小テーブルに関する技術思想を開示するものであり、便座前方への落下防止や下腹に力を入れる援助には役立つかと思われる。しかし、小テーブルとは言え、狭いトイレ内では邪魔になる場合があり、便座への着座、立ち上がりに支障をきたす場合も想定される。また、便秘排便時の身体状況監視機能は含まれていない。
【先行技術文献】
【特許文献】
【００１０】
【特許文献１】特開２００３−１９０８９号公報
【特許文献２】特開２００７−００２９５号公報
【特許文献３】特開２０１４−１２０４８号公報
【発明の概要】
【発明が解決しようとする課題】
【００１１】
前述のように、便秘症の使用者が排便時に前かがみの姿勢になって力んでも、トイレ便座から転落しないよう、かつ下腹に力を入れやすくするとともに、力んだ時の血圧上昇や脈拍上昇等の身体データを監視して脳溢血や心筋梗塞等の身体異常を引き起こさないよう監視し、使用者に知らせると共に使用者の身体状況をトイレ外部に知らせることが課題である。
【００１２】
さらに、使用者がかなり力を入れて該介助装置にすがるため、介助装置の機械的強度を高めることも課題である。
【００１３】
また一般的にトイレ空間は狭いため、排便補助を必要としない通常使用時や着座時にも邪魔にならない構成で、色々な構造のトイレにも設置できる工夫を実現することも課題である。
【００１４】
上記に加えて、既存のトイレにも応用できるよう、トイレの床や壁に取り付け工事を必要としないよう自立式の設置方法とすることが特に重要な課題である。
【００１５】
上記のような課題のうち、便座からの転落防止、下腹に力を入れやすくする課題は特許文献３によって解決することが可能であるが、特許文献３に開示される技術思想では介助手すりをトイレ壁面に回転させて着座時に邪魔にならないようにしている。しかし、既存のトイレに構造によっては回転のための十分なスペースが取れなかったり、邪魔な構造物があって設置できない場合があるという問題を解決する必要がある。
【課題を解決するための手段】
【００１６】
従って、特許文献３に開示される技術思想に使用者の身体データ監視機能を付加することによって監視課題を解決し、介助手すりの展開方法をトイレの構造に合わせて選択することにより、いろいろな構造のトイレにも設置することが可能となる。
【００１７】
本発明に係る排便介助装置は、垂直支柱部、介助アーム部、補助支柱部、介助アームに取り付けられた各種センサより構成され、トイレ床面にて該垂直支柱底部を支え、該支柱上部をトイレ天井或いはトイレ便座の側方に設置された介助手すりに固定し、該支柱には各種センサと補助支柱を付した介助アームが取り付けられている。なお、垂直支柱部を後述するごとく便座両脇の垂直支柱枠としてトイレ床面に自立させてもよい。前記介助アームは、後述するごとく垂直支柱部を中心としてトイレ床面の平行に回転したり、垂直支柱部上方あるいは下方に回転できる構造となっており、既存の色々なトイレの構造にあわせて設置することができる。該介助アームには、使用者の身体状態を監視するためのセンサが設けられていることを特徴とする。
【００１８】
該センサとしては血圧、脈拍、体温、気温（室内温度）、個人識別測定等を行う機能を備えている。
【００１９】
上記センサからの情報を表示する表示部を設け、使用者に身体状況を知らしめ、必要に応じて警告を行う。
【００２０】
上記個人識別測定情報に基づき、各センサ情報を個人ごとに記憶することができるため、多人数を収容する介護施設等でも本発明を使用することができる。
【００２１】
さらに、上記各センサからの情報を所定の基準値と比較、あるいは各個人の情報履歴から判断して注意表示を行う。
【発明の効果】
【００２２】
以上、説明したように、本発明に係る排便介助装置を用いることにより、便秘症の使用者の排便時のつかまり援助や腹部押しつけ援助をすると共に、力んだときの前方落下事故を防止することができる。加えて、介助アームに取り付けられたセンサにより使用者の血圧や脈拍等の身体情報を観測して、力み過ぎによる急激な血圧上昇や脈拍上昇を使用者に注意警告して力みを控えて危険を防止する一方、離れた介護観測者に当該情報を伝送することが可能となる。
【００２３】
また、介助アームは、水平に回動させあるいは上方もしくは下方に畳むことができるため既存の色々なトイレにも設置することができるという効果を生ずる。
【００２４】
同じトイレを利用する健常者には、血圧や脈拍等の身体情報を知らせることにより健康管理に役立てることができる。
【００２５】
さらに、介助アームに指紋検出センサ、個人番号入力装置、画像認識装置等の個人認識センサを取り付けることにより使用者各個人の身体状況データを収集することができる。これにより、各個人の長期にわたる健康状況推移データを記録することができ、より詳細な健康管理をすることが可能となる。
【００２６】
例えば、独居老人のトイレに本発明に係る装置を装備し、上記身体状況情報を遠隔地の家族や介護施設に伝送すれば独居老人の健康状態や安否を確認することができる。
【図面の簡単な説明】
【００２７】
【図１】本発明の一実施形態に係る排便介助装置の一実施例の使用状態を示す概略図である。
【図２】本発明の一実施形態に係る排便介助装置の別の設置方法を示す概略図である。
【図３】本発明の一実施形態に係る排便介助装置の他の設置方法を示す概略図である。
【図４】本発明の一実施形態に係る排便介助装置の介助アーム展開方法を示す概略図である。
【図５】本発明の一実施形態に係る排便介助装置の別のアーム展開方法を示す概略図である。
【図６】本発明の一実施形態に係る排便介助装置の補助支柱の説明概略図である。
【図７】本発明の一実施形態に係る排便介助装置の情報表示の一例である。
【図８】本発明の一実施形態に係る排便介助装置の情報処理ブロックダイヤグラムである。
【発明を実施するための形態】
【００２８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２９】
図１は、本発明の一実施形態に係る排便介助・監視装置Ａを使用する場合の概略斜視図である。本発明の排便介助・監視装置Ａは垂直支柱部Ａ−１と、垂直支柱部Ａ−１に取り付けられた介助アーム固定部Ａ−３と、該介助アーム固定部Ａ−３に取り付けられた介助アームＡ−４とを備えて構成されている。垂直支柱部Ａ−１は、底部をトイレ床面２に接し、上部はトイレ天井３に接しており、垂直支柱部Ａ−１の下部あるいは上部Ａ−２（図１では下部の場合を示す。）は、ねじ込み式となっておりネジを（利用者が）逆に回すことにより、トイレ床面と天井を押し付けてしっかり自立させることができる。
【００３０】
垂直支柱部Ａ−１には介助アーム固定部Ａ−３が取り付けられており、介助アーム固定部Ａ−３には介助アームＡ−４が取り付けられている。図１においては、介助アームＡ−４は、トイレ使用者１０の前方に略水平に展開されているが、介助アームＡ−４の展開方法については後述する。
【００３１】
介助アームＡ−４には、後述するセンサ部Ａ−７が取り付けられており（図１では詳細省略）、該センサ部Ａ−７からの各種センサ情報は介助アーム固定部Ａ−３中の情報処理部Ａ−５で処理され、情報表示部Ａ−６に表示される。図１においては情報表示部Ａ−６をトイレ壁面に設置した例を示しているが、情報表示部Ａ−６を小型にして介助アームＡ−４に取り付けたり、介助アーム固定部Ａ−３に取り付けてもよい。
【００３２】
図２は、本発明の一実施形態に係る排便介助・監視装置Ａを、トイレ床面２とトイレ壁面に取り付けられている介助手すり５によって垂直支柱部Ａ−１が自立させている例を示している。介助アームＡ−４に取り付けられたセンサ部Ａ−７は、指握りの形状をしており、指先を触れることにより血圧や体温、脈拍を計測することができる（オキシメータ：ＭＥＤＩＣＡ２０１２発表）。もちろん通常の指先挿入あるいは手首挿入型の血圧センサを装備しても良い。
【００３３】
また、センサ部Ａ−７には指紋センサやＲＦ−ＩＤ読み取り機のような後述する個人識別センサ８５も含まれ、個人を識別することができる。更に図面には図示していないが、指紋センサの代わりに介助アームＡ−４中にＲＦ−ＩＤ読み取り機を装備し、使用者が個人識別ＲＦ−ＩＤカードＡ−１０（図１に表示）をかざしたり、使用者の手首に付けたＲＦ−ＩＤタグＡ−１１（図１に表示）を読み取ることにより個人を識別することができる。該個人識別センサの他にも表示切り替えスイッチや湿度センサ等を取り付けることが可能であるが、図８では一括してその他センサ８９として図示している。また、センサ部Ａ−７への電源とセンサからの各情報は介助アームＡ−４を通して介助アーム固定部Ａ−３内の情報処理部Ａ−５と接続される。
【００３４】
更に、情報処理部Ａ−５への電源や情報処理部Ａ−５からの情報を有線でトイレ外部に伝送する場合は、垂直支柱部Ａ−１を通してケーブルＡ−９でトイレ外部へ接続される。
【００３５】
もちろん、情報処理部Ａ−５からの情報伝送を有線で行わずに特定小電力無線やＷｉ−Ｆｉを用いて伝送したり、センサ部Ａ−７や情報処理部Ａ−５の電源を内蔵電池とすれば外部配線の必要が無く、本発明の設置がより簡単になる。
【００３６】
図３は、本発明の一実施形態に係る排便介助・監視装置Ａをトイレ床面２上に自立させた例である。便座１への着座に邪魔にならないよう、便座１の両脇垂直及び下部に亘り金属パイプ等で自立支柱枠Ａ−１５を設置し、自立支柱枠Ａ−１５の一方に介助アーム固定部Ａ−３と介助アームＡ−４が取り付けられている。介助アームＡ−４は、通常図３の実線で示す如く上方に上げられており、使用者が着座した後に下方に下げられ、使用者の前方に展開し、図３の点線で示す如く自立支柱枠Ａ−１５の他方で支えられる。
【００３７】
図１乃至３で説明した如く、本発明の排便介助・監視装置Ａをトイレ床や壁等に改修工事を必要とせず、床面２に設置する方法はいろいろ考えられるが、それ等は全て本発明の発明思想に含まれるものである。
【００３８】
図４は、本発明の一実施形態に係る排便介助・監視装置Ａの介助アームＡ−４を使用者の前方に展開する手順の説明図である。図４は、図１の如く垂直支柱部Ａ−１をトイレ床面２とトイレ天井３の間で自立させた場合で、介助アーム固定部Ａ−３と介助アームＡ−４とはヒンジＡ−１３で結合されている。
【００３９】
図４では介助アームＡ−４を展開した場合を実線で示し、点線で示した介助アームＡ−４は上方に畳んだ場合で、一点鎖線で示した介助アームＡ−４は下方に畳んだ場合を示している。介助アームＡ−４をトイレ使用者１０の前方に展開した場合、介助アームＡ−４の一方はヒンジＡ−１３で支持され、他方は後述する補助支柱Ａ−１２で支持される。更に、介助アーム固定部Ａ−３を垂直支柱部Ａ−１に対して回転可能にしておけば、介助アームＡ−４を使用者前方に展開した状態で回転することにより便座への着座、離座に邪魔にならない。
【００４０】
図５は、本発明の一実施形態に係る排便介助・監視装置Ａの介助アームＡ−４を使用者の前方に展開する別の手順の説明図である。図５は、図２の如く垂直支柱部Ａ−１をトイレ床面２及び介助手すり５の間で自立させた場合で、介助アーム固定部Ａ−３と介助アームＡ−４とはヒンジＡ−１３で結合されている。
【００４１】
図５では介助アームＡ−４を展開した場合を実線で示し、点線で示した介助アームＡ−４は上方に畳んだ場合で、一点鎖線で示した介助アームＡ−４は下方に畳んだ場合を示している。介助アームＡ−４をトイレ使用者１０の前方に展開した場合、介助アームＡ−４の一方はヒンジＡ−１３で支持され、他方は後述する補助支柱Ａ−１２で支持される。或いは、介助アームＡ−４にストッパＡ−１４を設け、介助アームＡ−４を上方から展開した状態でストッパＡ−１４が介助アーム固定部Ａ−３で支えられるようにしても良い。
【００４２】
図６は、補助支柱Ａ−１２の展開方法の説明図である。図６（ａ）は図４で説明した介助アームＡ−４の例であり、図６（ｂ）は図５で説明した介助アームＡ−４の例である。どちらも補助支柱Ａ−１２は、垂直支柱部Ａ−１と同様のねじ込み伸縮式で、介助アームＡ−４の下部に収容されており、トイレ使用者１０の前方に展開されたのち図６（ａ）の点線の如く引き出されて、トイレ床面に対して介助アームＡ−４の一端を支持する。
【００４３】
以上、図１乃至図６で説明したように本発明による排便介助・監視装置Ａの介助アームＡ−４の展開方法、支持方法はいろいろ考えられるが、それらは全て本発明の発明思想に含まれるものである。
【００４４】
図１においては、使用者の身体状況情報の表示を便座側面の壁に取り付けているが、便座正面の使用者に見やすい位置に設置することが望ましい。表示情報例としては、図７（ａ）の如く最高血圧、最低血圧、脈拍、体温、室内温度、使用者に対する注意喚起等があるが、その他必要な情報や表示形態を変更することは本発明の発明思想に含まれるものである。
【００４５】
更に、使用者個人の特定機能により、個人ごとの情報を蓄積しておき、介助アームＡ−４に表示切替スイッチを設け、使用者の身体状況情報履歴を表示することも可能である。
【００４６】
図７（ａ）、（ｂ）は、トイレ使用者の身体状況情報表示の一例を示している。図７（ａ）は使用者の血圧や脈拍、体温、室内温度を表示するとともに、血圧や脈拍に異常が見られるときには注意表示が表示される。なお、注意表示に合わせて音声警告を行う等は通常技術の応用であり、本発明の発明思想に含まれるものである。
【００４７】
図７（ｂ）は現在使用中の使用者個人の例えば血圧の測定履歴が表示され、過去の履歴から現在の身体状況の比較をすることができる。
【００４８】
上記で説明した各種センサからの情報を処理して、表示や情報伝送を行う情報処理部Ａ−５の動作を図８のブロックダイヤグラムにて説明する。介助アームＡ−４には指紋センサやＲＦ―ＩＤ読み取り機のような個人識別センサ８５、血圧・脈拍センサ８６、体温センサ８７、気温センサ８８、その他センサ８９、電源スイッチ（図示せず）、表示切替スイッチ（図示せず）等が組み込まれている。
【００４９】
上記センサ部Ａ−７の各センサからの測定情報信号やスイッチの状態信号は、介助アーム固定部Ａ−３内の情報処理部Ａ−５中のＣＰＵ８１に入力される。ＣＰＵ８１は各センサ情報を特定個人ごとにメモリ８２に記憶する一方、排便介助・監視装置Ａの外部に設けられた情報表示部Ａ−６に表示する。
【００５０】
トイレを複数の使用者で使用する場合、使用者ごとに正常血圧値や脈拍値にはばらつきがあり、血圧値や脈拍値の数値から異常状態を検出するばかりでなく、上記特定個人ごとにメモリ８２に蓄えられた情報履歴から身体状態を判断することもできる。
【００５１】
一般に気温によって血圧値は変動するため、測定時の気温も考慮して身体状況を判断する必要がある。よって、ＣＰＵ８１は、例えば血圧測定情報を一定の基準値を超えた場合あるいは特定個人の履歴の推移から判断される推定値以上と判断される場合に、情報表示部Ａ−６に注意警告情報を表示する。
【００５２】
また、上記各センサからの身体状況情報および表示情報は、ＣＰＵ８１から情報伝送部８３を介して有線或いは無線にて外部へ送ることができる。
【産業上の利用可能性】
【００５３】
上述してきたように、本願に係る発明によれば、便秘時の排便介助として大変有用なものであり、特に高齢者介護施設のトイレには排便介助ばかりでなくトイレ前方落下防止としても必要不可欠の装置である。
【００５４】
また、トイレ床面や壁面等に取り付け工事を必要としないため、既存のトイレの床面に簡単に設置することができ、広く普及させることができる。
【００５５】
さらに、介助アームに取り付けられた各種センサによって使用者の身体状況を把握することができ、排便時の力みによる過度の血圧、脈拍上昇等を注意警告することができる。
【００５６】
また、使用者ごとの身体状況履歴がわかることにより、排便介助ばかりでなく健常者の健康管理にも大いに役立てることができる。
【００５７】
上記の身体状況表示や注意警告、身体状況履歴等の情報はトイレ外部に伝送することができ、遠隔地の介助施設や使用者家族に健康状態を知らせることができ、独居老人の安否確認にも活用することができる。
【００５８】
従って本発明は、介助、住宅、病院を取り巻く各産業で大いなる利用可能性を有している。
【符号の説明】
【００５９】
１…便座、２…トイレ床面、３…トイレ天井、４…トイレ壁面、５…介助手すり、８１…ＣＰＵ、８２…メモリ、８３…情報伝送部、８５…個人識別センサ、８６…血圧・脈拍センサ、８７…体温センサ、８８…気温センサ、８９…その他センサ、Ａ…排便介助・監視装置、Ａ−１…垂直支柱部、Ａ−２…垂直支柱部の下部あるいは上部、Ａ−３…介助アーム固定部、Ａ−４…介助アーム、Ａ−５…情報処理部、Ａ−６…情報表示部、Ａ−７…センサ部、Ａ−９…ケーブル、Ａ−１０…ＲＦ−ＩＤカード、Ａ−１１…ＲＦ−ＩＤタグ、Ａ−１２…補助支柱、Ａ−１３…ヒンジ、Ａ−１４…ストッパ、Ａ−１５…自立支柱枠
【図１】
2015202340.tif 000003
【図２】
2015202340.tif 000004
【図３】
2015202340.tif 000005
【図４】
2015202340.tif 000006
【図５】
2015202340.tif 000007
【図６】
2015202340.tif 000008
【図７】
2015202340.tif 000009
【図８】
2015202340.tif 000010